(57)【要約】【課題】車両の室内に備えられるカップホルダに収容され、カップの支持力を向上させるための車両のカップホルダ挿入型カップアダプタを提供する。【解決手段】  本発明は、カップホルダに装着され、カップの支持力を向上させるための車両のカップホルダ挿入型カップアダプタにおいて、前記カップホルダの底面に密着する底面と円筒形状の側面部とからなり、前記側面部には内側に突出している凸ガイドが備えられて、前記凸ガイドの外部凹溝には水平方向に突出した複数個の摩擦突起が形成されていることを特徴とする。【選択図】  図３
2006123894.tif 000002
【特許請求の範囲】
【請求項１】
カップホルダに装着されるカップの支持力を向上させるための車両のカップホルダ挿入型カップアダプタにおいて、
前記カップホルダの底面に密着する底面と円筒形状の側面部とからなり、
前記側面部には内側に突出している凸ガイドが備えられて、前記凸ガイドの外部凹溝には水平方向に突出した複数個の摩擦突起が形成されていることを特徴とする車両のカップホルダ挿入型カップアダプタ構造。
【請求項２】
前記カップアダプタは弾性材質からなり、強制取出金型構造で製作されることを特徴とする請求項１記載の車両のカップホルダ挿入型カップアダプタ構造。
【請求項３】
前記凸ガイドの外観は円形であることを特徴とする請求項１記載の車両のカップホルダ挿入型カップアダプタ構造。
【請求項４】
前記カップホルダの底部と前記カップアダプタの底部との間にはマット部材が挿入されることを特徴とする請求項１記載の車両のカップホルダ挿入型カップアダプタ構造。
【発明の詳細な説明】
【技術分野】
【０００１】
本発明は、車両のカップホルダ挿入型カップアダプタ、特に、車両の室内に備えられるカップホルダに収容されるカップの支持力を向上させるための車両のカップホルダ挿入型カップアダプタ構造に関する。
【背景技術】
【０００２】
大型カップ（Ｌａｒｇｅ  ｓｉｚｅ  ｃｕｐ）受納用カップホルダに小型カップ（Ｓｍａｌｌ  ｓｉｚｅ  ｃｕｐ）を受納する際、前記小型カップの支持力を向上させるために、前記カップホルダとは別途に形成されたカップアダプタをカップホルダの内部に装着することにより、前記カップアダプタが小型カップの側面を支持して流動できないようにしている。
図１は、従来のカップアダプタを示す斜視図であり、図２は、従来のカップアダプタがカップホルダに結合した実施形態を示す断面図である。
図示のような従来のカップアダプタ１０は弾性材で製造されて、内部に収容される小型カップの外周面を支持するためにカップ収容部に向かって突出している変形及び復元可能な凸ガイド１５を具備しており、カップアダプタ１０をカップホルダ２０に固定させるための別途の固定鉤１３が備えられている。
【０００３】
前記カップアダプタ１０は底面１２と円筒形状の側面１４とからなってカップ収容空間を形成し、底面１２には固定鉤１３が延長形成されており、固定鉤１３を用いてカップアダプタ１０をカップホルダ２０に固定させている。  
また、カップアダプタ１０の側面１４にはカップ収容空間に向かって突出している複数個の凸ガイド１５を備え、カップ収容空間に挿入されるカップの側面を支持する構造からなっている。
【０００４】
車両のコンソールに固定したカップホルダ２０の底面中央には、ボルトによりコンソールに容易に締結できるようにするために、下方に凹んで形成されている溝２２が備えられており、カップアダプタ１０の固定鉤１３が溝２２の内部に突出した突出部に引っ掛かるようにして、カップアダプタ１０をカップホルダ２０に固定させる構造からなっている。  
ここで、カップアダプタ１０をカップホルダ２０に固定させるための固定鉤１３のような固定手段は、カップ受納の際、挿入されたカップの表面に弾性材質のカップアダプタ１０の凸ガイド１５が密着し、カップを取出す時にカップアダプタ１０が共に付いて出ることを防止する役割をする。
【０００５】
カップアダプタ１０は使用者が必要によってカップホルダから分離して使用する場合がたびたび発生するが、その際、カップアダプタ１０が分離すると、カップホルダ２０の底面の溝２２が外部に直接露出し、外観を損なう問題点があった。
また、カップアダプタ１０の側面１４に備えられた凸ガイド１５は底面１２から側面１４に沿って上方に形成されており、凸ガイド１５による弾性力を確保して、収容されるカップの底面１２が干渉されないようにする目的で、底面１２と凸ガイド１５が繋がる部分には通孔１６が備えられている。
しかし、使用中、通孔１６の内部にホコリのような異質物が流入し、消費者の不満を招いている。
【特許文献１】特開２００４−２６２４０４号公報
【発明の開示】
【発明が解決しようとする課題】
【０００６】
前記のような問題点を解決するために、本発明は、前記カップアダプタの底面に別途の固定鉤を具備しなくても堅く固定することができるだけでなく、前記カップホルダから生じる見掛け上の問題点もなくて、カップの支持力を向上させることができ、前記カップアダプタの内部にホコリのような異質物が流入することのない車両カップホルダ用カップアダプタを提供することをその目的とする。
【課題を解決するための手段】
【０００７】
前記目的を達成するために本発明は、カップホルダに装着されるカップの支持力を向上させるための車両のカップホルダ挿入型カップアダプタにおいて、前記カップホルダの底面に密着する底面と円筒形状の側面部とからなり、前記側面部には内側に突出している凸ガイドが備えられて、前記凸ガイドの外部凹溝には水平方向に突出した複数個の摩擦突起が形成され、前記カップアダプタは弾性材質からなり、強制取出金型構造で製作されるとともに、前記凸ガイドの外観が円形で、前記カップホルダの底部と前記カップアダプタの底部との間にはマット部材が挿入されることを特徴とする。
【発明の効果】
【０００８】
本発明のカップアダプタ構造は凸ガイドに突起を形成し、前記突起がカップアダプタをカップホルダに固定させる役割をするので、別途の固定構造を必要とせず、カップホルダの外観をすっきりさせる効果がある。
また、凸ガイドを独立して側面に成形することができるので、カップ支持ポイントを上昇させてカップ支持力を向上させる効果もある。
【発明を実施するための最良の形態】
【０００９】
以下、本発明の好ましい実施例を添付の図面に基づいて詳細に説明する。
【実施例】
【００１０】
図３は、本発明のカップアダプタを示す斜視図であり、図４は、本発明のカップアダプタがカップホルダに結合した状態を示す断面図である。
図示のように、本発明のカップアダプタ１００は、従来のカップアダプタ１０と同様にカップホルダ２０の底に密着する底面１２０と、円筒形状の側面１４０からなり、カップ収容空間を形成する。
底面１２０には従来のカップアダプタ１０（図１参照）とは異なり、固定鉤１３を備えていない。
【００１１】
従って、カップホルダ２０の底面とカップアダプタ１００の底面１２０との間にマット部材２５を備え、カップアダプタ１００を取り外した時にもカップホルダ２０の中央に配置される溝２２が露出しないようにすることができる。
本発明のカップアダプタ１００は凸ガイド１５０が底面１２０から延長形成されるのでなく、側面１４０の中央位置から独立的に突出して形成されており、凸ガイド１５０の外側、即ち、カップホルダ２０と接する面には複数個の摩擦突起１５２が形成される。
【００１２】
カップアダプタ１００にカップが挿入されると、凸ガイド１５０がカップの側面を支持しながらカップアダプタ１００の外側方向に変形し、摩擦突起１５２がカップホルダ２０の内部に密着して、カップアダプタ１００とカップホルダ２０との間の摩擦力を増加させるため、カップＣ取出しの際は、摩擦力によりカップアダプタ１００がカップＣに付着して一緒に取り出されることはない。
図５は、カップホルダ２０に取り付けたカップアダプタ１００にカップＣが固定されている状態を示す断面図である。
図示のように、カップアダプタ１００にカップＣが収容されると、カップＣの外周面はカップアダプタ１００の凸ガイド１５０の表面の支持を受けて安定的に固定される。  
【００１３】
このような状態で、カップホルダ２０に向って突出形成されている凸ガイド１５０の外側の摩擦突起１５２は、カップホルダ２０の側面に押し付けられるので、カップＣとカップアダプタ１００との間の摩擦力よりカップアダプタ１００とカップホルダ２０との間の摩擦力がより大きくなる。  
従って、カップＣをカップアダプタ１００から取り出す時にもカップアダプタ１００がカップホルダ２０に固定された状態を維持することができる。
その結果、従来のようなカップアダプタ１０を固定するための固定鉤１３が必要でなくなり、カップアダプタ１００の底面１２０を平にすることができ、マット部材２５を更に具備することができるので、カップアダプタ１００を取り外した時に、見栄えが悪くなることはない。
【００１４】
図６は本発明のカップアダプタ１００の金型構造を示す断面図である。
本発明のカップアダプタ１００は弾性材から製作されるので、強制取出成形工法を使用することができる。
複数個の金型Ｆ１、Ｆ２、Ｆ３、Ｆ４を組合せてカップアダプタ１００を成形する際に、凸ガイド１５０を側面１４０の中間に円形で突出形成するためには、図示のように、側面の金型Ｆ１、Ｆ２を先に分離した後、内側コア金型Ｆ３を強制取出して、底金型Ｆ４を除去する方式で成形する。
【００１５】
このような強制取出成形工法は、高伸率を有する素材に使用可能な成形工法であって、本発明のカップアダプタの場合には、例えば、伸率３００％、屈曲弾性率２、５００ｋｇ／ｃｍ２の物性を有するＳＴＥ２０５０材質を使用することができる。
このように強制取出成形工法を使用すると、従来のように底面から凸ガイド１５０を形成しなくても側面に独立に凸ガイド１５０を形成することができ、また、凸ガイド１５０の高さを上向き移動させることにより、カップＣの支持ポイントを上向き移動するようにし、カップ支持力を向上させる効果をもたらすことになる。
【図面の簡単な説明】
【００１６】
【図１】従来のカップアダプタを示す斜視図である。
【図２】従来のカップアダプタがカップホルダに結合した状態を示す断面図である。
【図３】本発明のカップアダプタを示す斜視図である。
【図４】本発明のカップアダプタがカップホルダに結合した状態を示す断面図である。
【図５】カップホルダに結合した本発明のカップアダプタにカップが固定されている状態を示す断面図である。
【図６】本発明のカップアダプタの金型構造を示す断面図である。
【符号の説明】
【００１７】
Ｃ    カップ
Ｆ１、Ｆ２、Ｆ３、Ｆ４    金型
２０    カップホルダ
２５    マット部材
１００    カップアダプタ
１２０    底面
１４０    側面
１５０    凸ガイド
１５２    摩擦突起
【図１】
2006123894.tif 000003
【図２】
2006123894.tif 000004
【図３】
2006123894.tif 000005
【図４】
2006123894.tif 000006
【図５】
2006123894.tif 000007
【図６】
2006123894.tif 000008